(57)【要約】【課題】コストの低減を図りつつ、任意の領域に光沢を付与することが可能な加熱装置、画像形成装置および後処理装置を提供する。【解決手段】トナー像を担持した用紙Ｓを、加熱回転体と当該加熱回転体に圧着する加圧回転体とにより形成されるニップ部に進入させて加熱および加圧により定着する定着装置６０により定着された用紙Ｓを加熱するサーマルヘッド７０と、用紙Ｓ１の任意の領域（例えば、写真画像の領域）を加熱するようにサーマルヘッド７０を制御する制御部８０とを備える。これにより、従来技術とは異なり、光沢付与剤を使用せずに、用紙Ｓ１の写真画像の領域を部分的かつ選択的に再加熱（再定着）することができるため、コストの低減を図りつつ、写真画像の領域に光沢を付与することができる。特にオフセット印刷並みの画像品質が求められるプロダクションプリント市場に用いることは好ましい。【選択図】図１
2013088665.tif 000002
【特許請求の範囲】
【請求項１】
用紙上に定着されたトナー像を加熱する加熱部と、
前記用紙の任意の領域を加熱するように前記加熱部を制御する制御部とを備えた加熱装置。
【請求項２】
前記加熱部は、前記用紙の幅方向に配列された複数の発熱体を有するサーマルヘッドである請求項１に記載の加熱装置。
【請求項３】
前記制御部は、前記用紙上において前記トナー像の定着温度が所定温度未満の領域を特定する領域情報に基づいて、前記用紙上の当該領域を加熱するように前記加熱部を制御する請求項１または２に記載の加熱装置。
【請求項４】
前記制御部は、前記加熱部の上流に位置して、前記トナー像が定着された前記用紙を挟持搬送する搬送部に挟持される前記用紙上の領域を特定する領域情報に基づいて、前記用紙上において当該領域以外の領域を加熱するように前記加熱部を制御する請求項１または２に記載の加熱装置。
【請求項５】
用紙上にトナー像を形成する画像形成装置に接続可能であり、当該用紙に対して所定の後処理を行う後処理装置であって、
前記画像形成装置から供給された用紙を加熱するように設けられている請求項１〜４の何れか１項に記載の前記加熱部を有する後処理装置。
【請求項６】
用紙上に定着されたトナー像を加熱する加熱部と、
前記用紙の任意の領域を加熱するように前記加熱部を制御する制御部とを備えた画像形成装置。
【請求項７】
前記加熱部は、前記用紙の幅方向に配列された複数の発熱体を有するサーマルヘッドであることを特徴とする請求項６に記載の画像形成装置。
【請求項８】
前記制御部は、前記用紙上において前記トナー像の定着温度が所定温度未満の領域を特定する領域情報に基づいて、前記用紙上の当該領域を加熱するように前記加熱部を制御する請求項６または７に記載の画像形成装置。
【請求項９】
前記制御部は、前記トナー像が定着された前記用紙を挟持搬送する搬送部に挟持される前記用紙上の領域を特定する領域情報に基づいて、前記用紙上において当該領域以外の領域を加熱するように前記加熱部を制御する請求項６または７に記載の画像形成装置。
【発明の詳細な説明】
【技術分野】
【０００１】
本発明は、電子写真プロセスにより形成された画像の光沢度を調整する加熱装置、画像形成装置および後処理装置に関する。
【背景技術】
【０００２】
一般に、電子写真プロセスにより画像を形成する画像形成装置では、像担持体（感光ドラム等）の表面が所定の電位に帯電され、これに画像露光が施されて静電潜像が形成される。そして、この感光ドラム表面の潜像が現像手段により現像剤（トナー）を用いて現像され、トナー画像として可視化される。得られたトナー画像が感光ドラムに搬送された用紙に転写され、トナー画像を担持した用紙が定着装置に搬送され、定着装置により用紙上の未定着トナー画像が加熱定着されて、用紙上に画像が形成される。
【０００３】
ところで、用紙上に形成されたトナー画像によっては、領域を分けて異なる光沢を付与したい場合がある。例えば、写真画像の光沢を文字画像より高くすることが好まれる場合である。
【０００４】
従来、トナー画像の特定領域に部分的かつ選択的に所望の光沢を付与する技術が提案されている（例えば、特許文献１を参照）。この技術は、通常の画像形成プロセスに設けられている定着器の下流側に、さらに第２の定着器を設け、トナー画像の特定領域を部分的かつ選択的に再加熱することで所望の光沢を付与する技術である。
【先行技術文献】
【特許文献】
【０００５】
【特許文献１】特開２００７−５２１７５号公報
【発明の概要】
【発明が解決しようとする課題】
【０００６】
しかしながら、上記特許文献１に記載の技術では、加熱定着処理を行う前に光沢付与剤（透明トナー）を付与することによって、光沢度を向上させている。つまり、光沢の付与を、光沢付与剤を使用して行っているため、コストが高くなってしまうという問題があった。
【０００７】
本発明は、コストの低減を図りつつ、任意の領域に光沢を付与することが可能な加熱装置、画像形成装置および後処理装置を提供することを目的とする。
【課題を解決するための手段】
【０００８】
本発明に係る加熱装置は、用紙上に定着されたトナー像を加熱する加熱部と、
前記用紙の任意の領域を加熱するように前記加熱部を制御する制御部とを備えたことを特徴とする。
【０００９】
また、本発明に係る画像形成装置は、用紙上に定着されたトナー像を加熱する加熱部と、
前記用紙の任意の領域を加熱するように前記加熱部を制御する制御部とを備えたことを特徴とする。
【００１０】
また、本発明に係る後処理装置は、用紙上にトナー像を形成する画像形成装置に接続可能であり、当該用紙に対して所定の後処理を行う後処理装置であって、
前記用紙上に定着されたトナー像を加熱する加熱部であって、前記用紙の任意の領域を加熱するように制御部により制御される前記加熱部が、前記画像形成装置から供給された用紙を加熱するように設けられていることを特徴とする。
【発明の効果】
【００１１】
本発明によれば、コストの低減を図りつつ、任意の領域に光沢を付与することが可能な加熱装置、画像形成装置および後処理装置を提供することができる。
【図面の簡単な説明】
【００１２】
【図１】本発明に係る第１の実施の形態を示す画像形成装置の縦断面図である。
【図２】本発明に係る第１の実施の形態を示す画像形成装置の制御ブロック図である。
【図３】本発明に係る第２の実施の形態を示す画像形成装置の動作例を説明する図である。
【図４】本発明に係る第３の実施の形態を示す画像形成装置の動作例を説明する図である。
【図５】本発明に係る第１〜３の実施の形態を示す後処理装置の縦断面図である。
【発明を実施するための形態】
【００１３】
（第１の実施の形態）
以下、本発明の第１の実施の形態を図面に基づいて詳細に説明する。図１に示す画像形成装置１は、電子写真プロセス技術を利用した中間転写方式のカラー画像形成装置である。すなわち、画像形成装置１は、感光体上に形成されたＣ（シアン）、Ｍ（マゼンタ）、Ｙ（イエロー）、Ｋ（ブラック）の各色トナー像を中間転写体に転写（一次転写）し、中間転写体上で４色のトナー像を重ね合わせた後、用紙に転写（二次転写）することにより、画像を形成する。
【００１４】
また、画像形成装置１には、ＣＭＹＫの４色に対応する感光体を中間転写体の走行方向に直列配置し、中間転写体に一回の手順で各色トナー像を順次転写させるタンデム方式が採用されている。
【００１５】
図１に示すように、画像形成装置１は、画像読取部１０、操作表示部２０、画像処理部３０、画像形成部４０、搬送部５０、定着装置６０、加熱部として機能するサーマルヘッド７０、および制御部（図示せず）を備えている。なお、サーマルヘッド７０および制御部は、加熱装置として機能する。
【００１６】
制御部は、ＣＰＵ（Ｃｅｎｔｒａｌ  Ｐｒｏｃｅｓｓｉｎｇ  Ｕｎｉｔ）等の演算装置を有しており、ＣＰＵで所定の制御プログラムを実行することにより、画像形成装置１の制御を行う。制御部は、操作表示部２０により入力されたジョブ情報に従って画像形成装置１の画像形成動作を制御する。
【００１７】
画像読取部１０は、ＡＤＦ（Auto  Document  Feeder）と称される自動原稿給紙装置１１および原稿画像走査装置（スキャナー）１２等を備えて構成される。自動原稿給紙装置１１は、原稿トレイに載置された原稿Ｄを搬送機構により搬送して原稿画像走査装置１２へ送り出す。自動原稿給紙装置１１は、原稿トレイに載置された多数枚の原稿Ｄの画像（両面を含む）を連続して一挙に読み取ることができる。
【００１８】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge  Coupled  Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００１９】
操作表示部２０は、例えばタッチパネル付の液晶ディスプレイ（ＬＣＤ：Liquid  Crystal  Display）で構成され、表示部２１および操作部２２として機能する。表示部２１は、制御部から入力される表示制御信号に従って、各種操作画面、画像の状態表示、各機能の動作状況等の表示を行う。操作部２２に対して、各種の指示および設定のための入力操作を行うことができる。これら指示・設定の情報は、ジョブ情報として制御部により扱われる。ジョブ情報としては、用紙サイズ、プリント枚数等がある。
【００２０】
画像処理部３０は、入力画像データに対して、初期設定又はユーザー設定に応じたデジタル画像処理を行う回路等を備えている。例えば、画像処理部３０は、制御部の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２１】
また、画像処理部３０は、公知の画像認識技術を用いて、入力画像データに基づく入力画像の中から写真画像の領域を判別し、判別した領域の（入力画像における）位置を示す位置情報を制御部に出力する。本実施の形態では、画像処理部３０は、所定面積の領域内に含まれる色数が予め定めた値以上の場合に写真画像の領域であると判断する。
【００２２】
画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、および中間転写ユニット４２等を備えている。
【００２３】
Ｙ成分、Ｍ成分、Ｃ成分、Ｋ成分用の画像形成ユニット４１Ｙ、４１Ｍ、４１Ｃ、４１Ｋは、同様の構成を有する。図示および説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２４】
画像形成ユニット４１は、露光装置４１１、現像装置４１２、感光体ドラム４１３、帯電装置４１４およびドラムクリーニング装置４１５等を備えている。
【００２５】
感光体ドラム４１３は、例えばアルミニウム製の導電性円筒体（アルミ素管）の周面に、アンダーコート層（ＵＣＬ：Under  Coat  Layer）、電荷発生層（ＣＧＬ：Charge  Generation  Layer）、電荷輸送層（ＣＴＬ：Charge  Transport  Layer）を順次積層した負帯電型の有機感光体（ＯＰＣ：Organic  Photo-conductor）である。
【００２６】
帯電装置４１４は、光導電性を有する感光体ドラム４１３の表面を一様に負極性に帯電させる。露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成されることとなる。
【００２７】
現像装置４１２は、各色成分の現像剤（例えば、小粒径のトナーと磁性体とからなる二成分現像剤）を収容しており、感光体ドラム４１３の表面に各色成分のトナーを付着させることにより静電潜像を可視化してトナー像を形成する。ドラムクリーニング装置４１５は、感光体ドラム４１３の表面に摺接されるドラムクリーニングブレードを有する。一次転写後に感光体ドラム４１３の表面に残存する転写残トナーは、ドラムクリーニングブレードによって掻き取られ、除去される。
【００２８】
中間転写ユニット４２は、中間転写体となる中間転写ベルト４２１、一次転写ローラー４２２、二次転写ローラー４２３、駆動ローラー４２４、従動ローラー４２５およびベルトクリーニング装置４２６等を備えている。
【００２９】
中間転写ベルト４２１は無端状ベルトで構成され、駆動ローラー４２４および従動ローラー４２５に張架される。中間転写ベルト４２１は、駆動ローラー４２４の回転により矢印Ａ方向に一定速度で走行する。一次転写ローラー４２２によって、中間転写ベルト４２１が感光体ドラム４１３に圧接されると、中間転写ベルト４２１に各色トナー像が順次重ねて一次転写される。そして、中間転写ベルト４２１が二次転写ローラー４２３によって用紙Ｓに圧接されると、中間転写ベルト４２１に一次転写されたトナー像が用紙Ｓに二次転写される。
【００３０】
ベルトクリーニング装置４２６は、中間転写ベルト４２１の表面に摺接されるベルトクリーニングブレードを有する。二次転写後に中間転写ベルト４２１の表面に残存する転写残トナーは、ベルトクリーニングブレードによって掻き取られ、除去される。
【００３１】
定着装置６０は、搬送されてきた用紙Ｓをニップ部で加熱、加圧することにより、用紙Ｓにトナー像を定着させる。定着装置６０は、定着ユニット６１とエア分離ユニット６２を備えて構成されるエア分離式の定着装置である。
【００３２】
搬送部５０は、給紙部５１、搬送機構５２および排紙部５３等を備えている。給紙部５１を構成する３つの給紙トレイユニット５１ａ〜５１ｃには、用紙の坪量やサイズ等に基づいて識別された用紙（規格用紙、特殊用紙）Ｓが予め設定された種類ごとに収容される。
【００３３】
給紙トレイユニット５１ａ〜５１ｃに収容されている用紙Ｓは、最上部から一枚ずつ送出され、レジストローラー５２ａ等の複数の搬送ローラーを備えた搬送機構５２により画像形成部４０に搬送される。このとき、レジストローラー５２ａが配設されたレジスト部により、給紙された用紙Ｓの傾きが補正されるとともに搬送タイミングが調整される。そして、画像形成部４０において、中間転写ベルト４２１のトナー像が用紙Ｓの一方の面に一括して二次転写され、定着装置６０において定着工程が施される。画像形成された用紙Ｓは、排紙ローラー５３ａを備えた排紙部５３により機外に排紙される。
【００３４】
サーマルヘッド７０は、用紙Ｓの搬送方向において定着装置６０の下流側に配置され、用紙Ｓの幅方向（用紙Ｓの搬送方向と直交する方向）に直線上に配置された複数の発熱体を有する。複数の発熱体は、例えば３００［ｄｐｉ（ｄｏｔ  ｐｅｒ  ｉｎｃｈ）］の密度で配置される。サーマルヘッド７０は、制御部の制御を受けて、定着装置６０によりトナー像が定着された用紙Ｓを加熱する。
【００３５】
なお、サーマルヘッド７０は、用紙Ｓの種類に応じてトナー像の定着性が異なるため、用紙Ｓを加熱する際の供給熱量を変えるようにするのが好ましい。例えば、用紙Ｓが厚紙である場合、厚紙の熱容量は大きいため、サーマルヘッド７０は、高い供給熱量で用紙Ｓを加熱する。一方、用紙Ｓが薄紙である場合、薄紙の熱容量は小さいため、サーマルヘッド７０は、低い供給熱量で用紙Ｓを加熱する。
【００３６】
制御部は、画像処理部３０から出力された位置情報に基づいて、定着された用紙Ｓにおいて写真画像の領域（特許請求の範囲の「任意の領域」に対応する領域）を加熱するように制御する。この結果、トナー画像が形成された用紙Ｓにおいて、写真画像の領域にのみ光沢がさらに付与されることとなる。
【００３７】
次に、図２を参照して、画像形成装置１の制御ブロック図について説明する。図２に示すように、画像形成装置１は、定着装置６０、サーマルヘッド７０および制御部８０を備えて構成されている。
【００３８】
制御部８０は、ＣＰＵ９０、ＲＯＭ（Ｒｅａｄ  Ｏｎｌｙ  Ｍｅｍｏｒｙ）９１、ＲＡＭ（Ｒａｎｄｏｍ  Ａｃｃｅｓｓ  Ｍｅｍｏｒｙ）９２およびサーマル駆動部９３を備えて構成されている。
【００３９】
ＣＰＵ９０は、ＲＯＭ９１に格納されているシステムプログラムおよび各種アプリケーションプログラムの中から指定されたプログラムを読み出してＲＡＭ９２に展開し、ＲＡＭ９２に展開されたプログラムとの協働で、各種処理を実行し、画像形成装置１の各部を制御する。
【００４０】
ＲＯＭ９１は、ＣＰＵ９０により実行される各種プログラムを記憶する。ＲＡＭ９２は、揮発性のメモリであって、ＣＰＵ９０により実行される各種プログラムやこれら各種プログラムに係るデータ等を格納するワークエリアを有し、その情報を一時的に記憶する。本実施の形態では、ＲＡＭ９２は、画像処理部３０から出力された位置情報を一時的に記憶する。
【００４１】
サーマル駆動部９３は、ＣＰＵ９０から出力される制御信号を受けて、サーマルヘッド７０の駆動を制御する。具体的には、サーマル駆動部９３は、ＲＡＭ９２に記憶されている位置情報に基づいて、定着装置６０によりトナー像が定着された用紙Ｓにおいて写真画像の領域を加熱するように制御する。この結果、トナー画像が形成された用紙Ｓにおいて、写真画像の領域にのみ光沢がさらに付与されることとなる。
【００４２】
以上詳しく説明したように、第１の実施の形態では、用紙Ｓ上に定着されたトナー像を加熱するサーマルヘッド７０と、用紙Ｓの任意の領域（写真画像の領域）を加熱するようにサーマルヘッド７０を制御する制御部８０とを備えている。
【００４３】
このように構成した第１の実施の形態によれば、従来技術とは異なり、光沢付与剤を使用せずに、用紙Ｓの写真画像の領域を部分的かつ選択的に再加熱（再定着）することができるため、コストの低減を図りつつ、写真画像の領域に光沢を付与することができる。特に、出力画像そのものが商品であり、オフセット印刷並みの画像品質が求められるプロダクションプリント市場において、上記効果を奏する画像形成装置１を用いることは好ましい。
【００４４】
また、第１の実施の形態では、用紙Ｓを再加熱する手段として、短い時間で加熱温度に達し、供給熱量の制御が高精度で行えるサーマルヘッド７０を採用している。これにより、所望の領域に必要な分だけ選択的に光沢を付与する処理を高精度で行うことができる。
【００４５】
（第２の実施の形態）
第２の実施の形態は、第１の実施の形態で説明した制御部８０のサーマルヘッド７０に対する制御動作の変形例である。図３は、本発明に係る第２の実施の形態を示す画像形成装置１の動作例を説明する図である。本実施の形態は、用紙Ｓ上においてトナー像の定着温度が所定温度未満の領域を部分的に加熱するようにサーマルヘッド７０を制御する点が第１の実施の形態と異なる。
【００４６】
上記動作を行う目的は、以下の通りである。すなわち、定着装置６０が備える無端状の定着ベルトの周長が用紙Ｓの搬送方向長さより短い場合、定着ベルトの同一ポイントが用紙Ｓの同一面上を２度以上通過する。この場合、用紙Ｓの進入によって奪われた定着ベルトの熱が２周目までに回復することができず、１周目と２周目との間において温度差（定着ベルトの表面温度の温度差）が生じる。この温度差が大きいと、用紙Ｓ上のトナー画像において光沢ムラ（光沢段差）が発生するという問題が発生する。
【００４７】
この問題を解決するための対策として、用紙Ｓの搬送方向長さより定着ベルトの周長を長くすることが考えられる。しかし、設備コストの向上、定着ベルトの消費電力増大および定着装置の大型化といった別の問題が生じてしまい、上記問題を解決するための有効な対策とは言えない。また、別の対策として、用紙Ｓの同一面上を定着ベルトが２周以上しても温度低下が生じないようなヒート設計を行うことが考えられる。しかし、定着部１６におけるヒートサイクル設計が複雑化して設計コストが向上するといった別の問題が生じてしまい、上記問題を解決するための有効な対策とは言えない。
【００４８】
そこで、本発明に係る第２の実施の形態では、以下の構成を採用して、定着ベルトの表面温度の温度差に起因する光沢ムラ（光沢段差）の発生を防止するようにしている。
【００４９】
第２の実施の形態において、制御部８０のＲＯＭ９１には、定着ベルトの周長を示すベルト周長情報があらかじめ格納されている。
【００５０】
制御部８０のサーマル駆動部９３は、図３（ａ）に示すように、用紙Ｓがサーマルヘッド７０を矢印方向（搬送方向）に通過する際、ＲＯＭ９１に保持しているベルト周長情報および、操作表示部２０により入力されたジョブ情報に含まれる用紙サイズ（これらの情報は、特許請求の範囲の「領域情報」に対応）に基づいて、用紙Ｓ上において定着ベルトの２周目に係る領域Ｂを加熱するようにサーマルヘッド７０を制御する。領域Ｂは、用紙Ｓの領域Ａの進入によって奪われた定着ベルトの熱が２周目までに回復することができず、定着装置６０によりトナー像が定着される際の定着温度が所定温度未満の領域である。
【００５１】
具体的には、サーマル駆動部９３は、用紙サイズからベルト周長を減算した値（用紙Ｓ上において定着ベルトの１周目に係る領域Ａと２周目に係る領域Ｂとの境の位置）から用紙Ｓの搬送方向における後端位置までの領域を領域Ｂとして特定する。そして、サーマル駆動部９３は、用紙Ｓの搬送速度を考慮しながら、用紙Ｓの領域Ｂがサーマルヘッド７０を通過するタイミングで用紙Ｓ上に定着されたトナー像を加熱させる。
【００５２】
図３（ｂ）は、サーマルヘッド７０が用紙Ｓ上に定着されたトナー像を加熱する場合、用紙Ｓの搬送方向における先端からの距離と、加熱の際における供給熱量との関係を示す図である。図３（ｂ）に示すように、サーマル駆動部９３は、用紙Ｓ上において定着ベルトの１周目に係る領域Ａから２周目に係る領域Ｂに切り替わるタイミング（切替タイミング）で供給熱量が大きくなるようにサーマルヘッド７０を制御する。なお、用紙Ｓ上において定着ベルトの１周目に係る領域Ａ（定着温度が所定温度以上の領域）に対しても熱量を供給しているのは、定着ベルトの２周目に係る領域Ｂで大きな熱量を供給するための加熱準備を行うウォームアップ処理が必要だからである。
【００５３】
以上詳しく説明したように、第２の実施の形態では、用紙Ｓ上においてトナー像の定着温度が所定温度未満の領域を特定する情報に基づいて、用紙Ｓ上の当該領域を加熱するようにサーマルヘッド７０を制御している。このように構成した第２の実施の形態によれば、大幅なコストアップや装置の大型化、消費電力の増大を抑えつつ、定着ベルトの１周目に係る領域Ａと２周目に係る領域Ｂとの間における温度差が小さくなり、用紙Ｓ上のトナー画像において光沢ムラ（光沢段差）が発生することを防止することができる。
【００５４】
（第３の実施の形態）
第３の実施の形態は、第１の実施の形態で説明した制御部８０のサーマルヘッド７０に対する制御動作の変形例である。図４は、本発明に係る第３の実施の形態を示す画像形成装置１の動作例を説明する図である。本実施の形態は、サーマルヘッド７０の上流に位置して、トナー像が定着された用紙Ｓを挟持搬送する搬送部（搬送ローラ１００）に挟持される用紙Ｓ上の領域を特定する領域以外の領域を加熱するようにサーマルヘッド７０を制御する点が第１の実施の形態と異なる。
【００５５】
上記動作を行う目的は、以下の通りである。すなわち、排紙ローラ１００は連続通紙により蓄熱し、排紙ローラ１００が用紙Ｓと接する領域と接しない領域との間では、当該排紙ローラ１００の蓄熱に起因する温度差が生じる。この温度差が大きいと、用紙Ｓ上のトナー画像においてスジ状の光沢ムラ（光沢段差）が発生するという問題が発生する。
【００５６】
この問題を解決するための対策として、排紙ローラ１００の蓄熱を防ぐことが可能な冷却機構を新たに設置することが考えられる。しかし、設備コスト向上、冷却機構分の消費電力増大および装置の大型化といった別の問題が生じてしまい、上記問題を解決するための有効な対策とは言えない。
【００５７】
そこで、本発明に係る第３の実施の形態では、以下の構成を採用して、排紙ローラ１００の蓄熱に起因する光沢ムラ（光沢段差）の発生を防止するようにしている。
【００５８】
第３の実施の形態において、制御部８０のＲＯＭ９１には、用紙Ｓの幅方向における排紙ローラ１００の配置位置を示す配置位置情報があらかじめ格納されている。
【００５９】
制御部８０のサーマル駆動部９３は、図４（ａ）に示すように、用紙Ｓが定着装置６０の後段に配置されたサーマルヘッド７０を矢印方向（搬送方向）に通過する際、ＲＯＭ９１に保持している配置位置情報および操作表示部２０により入力されたジョブ情報に含まれる用紙サイズ（これらの情報は、特許請求の範囲の「領域情報」に対応）に基づいて、用紙Ｓ上において排紙ローラ１００が用紙Ｓと接する（つまり、排紙ローラ１００により挟持される）領域Ｂ以外の領域Ａを加熱するようにサーマルヘッド７０を制御する。
【００６０】
図４（ｂ）は、サーマルヘッド７０が用紙Ｓ上に定着されたトナー像を加熱する場合、用紙Ｓの幅方向における一端からの距離と、加熱の際における供給熱量との関係を示す図である。図４（ｂ）に示すように、サーマル駆動部９３は、排紙ローラ１００が用紙Ｓと接する領域Ｂ以外の領域Ａに対して大きい供給熱量で加熱するようにサーマルヘッド７０を制御する。
【００６１】
以上詳しく説明したように、第３の実施の形態では、サーマルヘッド７０の上流に位置して、トナー像が定着された用紙Ｓを挟持搬送する搬送ローラ１００に挟持される用紙Ｓ上の領域Ｂを特定する情報に基づいて、用紙Ｓ上において当該領域Ｂ以外の領域Ａを加熱するようにサーマルヘッド７０を制御する。このように構成した第３の実施の形態によれば、大幅なコストアップや装置の大型化、消費電力の増大を抑えつつ、排紙ローラ１００が用紙Ｓと接する領域Ｂと接しない領域Ａとの間における温度差が小さくなり、用紙Ｓ上のトナー画像においてスジ状の光沢ムラ（光沢段差）が発生することを防止することができる。
【００６２】
なお、上記第１〜３の実施の形態では、用紙Ｓ上に定着されたトナー像を加熱する手段としてサーマルヘッド７０を用いる例について説明したが、本発明はこれに限定されない。要は、用紙Ｓの任意の領域を加熱するように制御可能な複数の発熱体を有するものであれば何でも良い。
【００６３】
また、上記第１〜３の実施の形態では、サーマルヘッド７０は定着装置６０の後段、すなわち画像形成装置１内に配置する例について説明したが、本発明はこれに限定されない。例えば、図５に示すように、サーマルヘッド７０を、画像形成装置１に接続可能であり、用紙Ｓに対して所定の後処理（例えば、ステープルを用いた綴じ処理、折り処理等）を行う後処理装置１１０内の用紙搬送路Ｈ０上における出口部の前に配置するようにしても良い。つまり、後処理装置１１０は、画像形成装置１から供給された用紙Ｓを加熱するように設けられているサーマルヘッド７０を有する。この場合、サーマルヘッド７０は、制御部８０の制御を受けて、定着装置６０によりトナー像が定着された用紙Ｓを加熱する。
【００６４】
図５に示すように、後処理装置１１０は、用紙搬送路Ｈ０、Ｈ１、Ｈ２、固定排紙皿１２０ａ、昇降排紙台１２０ｂ、後処理部１３０および制御部１４０を備えて構成されている。なお、制御部１４０の一部または全部の機能を画像形成装置１の制御部８０に組み込むように構成しても良い。
【００６５】
制御部１４０は、ＣＰＵ等の演算装置を有しており、ＣＰＵで所定の制御プログラムを実行することにより、後処理装置１１０の制御を行う。制御部１４０は、画像形成装置１の画像形成動作に連動する後処理装置１１０の後処理動作を、画像形成装置１から転送されたジョブ情報に従って制御する。
【００６６】
用紙搬送路Ｈ０は、画像形成装置１から排出された用紙Ｓを後処理装置１１０の内部に導入するために、画像形成装置１の排紙部５３に対向配置された入口部を有する用紙搬送路である。用紙搬送路Ｈ０は、その出口部にて用紙搬送路Ｈ１、Ｈ２に分岐する。
【００６７】
用紙搬送路Ｈ１は、後処理の対象とならない用紙Ｓを搬送して固定排紙皿１２０ａに排出する排紙路である。用紙搬送路Ｈ２は、後処理の対象となる用紙Ｓを搬送して後処理部１３０に供給する用紙搬送路である。
【００６８】
後処理部１３０は、用紙Ｓに対して平綴じ処理を行うよう構成されている。より具体的には、後処理部１３０は、用紙Ｓを積載して用紙束を形成し、この用紙束に対し平綴じ処理を行って冊子を形成し、この冊子を昇降排紙台１２０ｂに排出する。図５に示すように、昇降排紙台１２０ｂは用紙搬送方向における下流側が上向きに傾斜しており、冊子は傾斜して積載される。また昇降排紙台１２０ｂは、冊子が排出される毎に下降して大量の冊子を積載することができる。
【００６９】
また、上記第１〜３の実施の形態において、画像形成装置１は、自動原稿給紙装置１１からコンタクトガラス上に搬送された原稿又はコンタクトガラス上に載置された原稿に対応する入力画像データに基づいて用紙Ｓに画像を形成する例について説明したが、本発明はこれに限定されない。例えば、画像形成装置１は、図示しない通信部を介して、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信ネットワークに接続された外部の装置（例えばパーソナルコンピュータ）から送信された入力画像データを受信し、当該受信したデジタル画像データに基づいて用紙Ｓに画像を形成しても良い。
【００７０】
その他、上記第１〜３の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７１】
１  画像形成装置
７０  サーマルヘッド
８０  制御部
１１０  後処理装置
【図１】
2013088665.tif 000003
【図２】
2013088665.tif 000004
【図３】
2013088665.tif 000005
【図４】
2013088665.tif 000006
【図５】
2013088665.tif 000007